(57)【要約】【課題】ローターに加わる負荷を抑えて省エネルギー化を実現することができる遠心離解装置を提供する。【解決手段】古紙１が供給されるタブ１１と、古紙１に供給される処理液の供給口部２３が形成されてタブ１１の底部に備えられたローター１５と、計測されたローター１５のトルクに応じて処理液の供給量を調節する制御部とを備え、離解古紙２が排出される排出口部１４を、タブ１１の側方に形成して遠心離解装置１０を構成し、古紙１と処理液とから生成された古紙液のうち処理液の濃度を約７０％にする。【選択図】図１
2015074840.tif 000002
【特許請求の範囲】
【請求項１】
古紙が供給されるタブと、
前記古紙に供給される処理液の供給口部が形成されて前記タブの下方に備えられたローターと、
計測された前記ローターのトルクに応じて前記処理液の供給量を調節する制御部と、
が備えられ、
前記古紙と前記処理液とから生成された古紙液のうち、前記処理液の濃度が約７０％である、
ことを特徴とする遠心離解装置。
【請求項２】
前記古紙液が離解されて生成された離解古紙が排出される排出口部が、前記タブの側面部と前記ローターとの間に形成されると共に前記タブの側方に開口された、
ことを特徴とする請求項１に記載された遠心離解装置。
【請求項３】
前記排出口部の大きさが調節される、
ことを特徴とする請求項１または請求項２に記載された遠心離解装置。
【発明の詳細な説明】
【技術分野】
【０００１】
本発明は、古紙などから古紙パルプを製造するための遠心離解装置に関するものである。
【背景技術】
【０００２】
従来の遠心離解装置として、下記特許文献１に記載されたパルパーがある。このパルパーは、パルプ通過プレートが形成された底部と、円筒状の周壁部とから原料受入漕が形成され、通過プレートと対面して底部に粉砕ローターが取り付けられている。原料受入漕に供給された古紙は、給水パイプから給水された水と共に粉砕ローターによって撹拌される。古紙は繊維が離解され、繊維がパルプ通過プレートを通過してパルパーから排出される。
【先行技術文献】
【特許文献】
【０００３】
【特許文献１】特許第４６８６０７０号公報
【発明の概要】
【発明が解決しようとする課題】
【０００４】
古紙に供給される水分は濃度が一般的に９５％程度であり、高濃度パルパーで撹拌される場合８０％程度である。水分の濃度に応じてローターに加わる負荷が増加すると、消費電力が上がる。
【０００５】
本発明は、上記課題に鑑みて提案されたものである。すなわち、ローターに加わる負荷を抑えて省エネルギー化を実現することができる遠心離解装置の提供を目的とする。
【課題を解決するための手段】
【０００６】
上記目的を達成するために、本発明に係る遠心離解装置は、古紙が供給されるタブと、前記古紙に供給される処理液の供給口部が形成されて前記タブの底部に備えられたローターと、計測された前記ローターのトルクに応じて前記処理液の供給量を調節する制御部と、が備えられ、前記古紙と前記処理液とから生成された古紙液のうち、前記処理液の濃度が約７０％であることを特徴としている。
【０００７】
本発明に係る遠心離解装置は、前記古紙液が離解されて生成された離解古紙が排出される排出口部が、前記タブの側方に形成されたことを特徴としている。
【０００８】
本発明に係る遠心離解装置は、前記排出口部の大きさが調節されることを特徴としている。
【発明の効果】
【０００９】
本発明に係る遠心離解装置は上記した構成である。この構成により、古紙液を撹拌させるローターに加わる負荷が抑えられる。したがって、省エネルギー化を実現することができる。
【００１０】
本発明に係る遠心離解装置は、古紙液が離解されて生成された離解古紙が排出される排出口部が、タブの側方に形成されている。この構成により、古紙液が排出される際の流路は、ローターが回転することで生じた遠心力により形成される。すなわち、古紙液は、ローターによって撹拌されて流動する方向と、遠心力によって排出口部に流動する方向とが一致する。古紙液の流路が一様な方向であるため、ローターに加わる負荷が抑えられる。したがって、省エネルギー化を実現することができる。
【００１１】
本発明に係る遠心離解装置は、排出口部の大きさが調節されるものである。この構成により、排出される古紙液の流量や大きさは、排出口部が狭められた場合に減少し、拡げられた場合に増大する。したがって、排出される離解古紙の流量や大きさを調節することができる。
【図面の簡単な説明】
【００１２】
【図１】本発明の実施形態に係る遠心離解装置の断面概略図である。
【図２】本発明の実施形態に係る遠心離解装置の断面拡大概略図である。
【図３】本発明の実施形態に係る遠心離解装置のローターを示し、（ａ）が側面概略図、（ｂ）が平面概略図である。
【発明を実施するための形態】
【００１３】
以下に、本発明の実施形態を図面に基づいて説明する。
【００１４】
図１および図２に示されているとおり、本実施形態に係る遠心離解装置１０は、古紙１が供給されるタブ１１、このタブ１１の下方に取り付けられたローター１５、古紙１に処理液を供給する処理液供給部２１、稼働したローター１５のトルクに応じて処理液の供給量を調節する制御部２５、古紙液が離解されて生成された離解古紙２が排出口部１４から排出される際、排出口部１４の大きさが調節される調節機構２６、から構成されている。
【００１５】
タブ１１は側面部１２がほぼ円柱または多角柱の筒状であり、上方が解放されたことで古紙供給口部１３が形成され、下方にローター１５が配置されたことで側面部１２との間に排出口部１４が形成されている。すなわち、排出口部１４が側面部１２の下端とローター１５との間に形成されると共にタブ１１の側方に開口され、ローター１５によって下方が閉塞されてタブ１１の底部が形成されている。なお、タブはローターと別に底部が形成されて下方が閉塞され、底部にローターが取り付けられていてもよい。
【００１６】
図３に示されているとおり、ローター１５は、ほぼ円盤状であり、表面が円周から中心に向けて傾斜したすり鉢状に形成されている。表面は平板状であってもよい。ローター１５の表面は、突部１６が中心に形成され、この突部１６から放射状に配置された離解歯１７が取り付けられている。突部１６は、ほぼ円錐形に形成されている。ローター１５は下方に配置された支持部１８によって中心が支持されている（図１参照）。支持部１８は伝動装置１９を介して駆動装置２０が接続されている（図２参照）。
【００１７】
図２に示されているとおり、処理液供給部２１はローター１５に取り付けられている。処理液供給路２２が支持部１８の内側を通されて突部１６に至り、複数の処理液供給口部２３が突部１６の側面に開口されている。処理液は、例えば水、お湯、薬液などである。処理液の供給量は流量調節装置２４によって調節される。
【００１８】
制御部２５は、ローター１５のトルクを計測して流量調節装置２４に信号を出力する。処理液の供給量はトルクに応じて調節される。すなわち、ローター１５に加わる負荷が大きい場合、処理液の供給量を減少させ、負荷が小さい場合、処理液の供給量を増加させる。
【００１９】
図１に示されているとおり、調節機構２６はタブ１１の外周に取り付けられ、タブ１１を支持している。調節機構２６によってタブ１１が上下に移動することで、タブ１１の下端とローター１５との間隔が変化して排出口部１４の大きさが調節される。排出口部１４は、狭められた場合、排出される離解古紙２の流量や大きさが減少し、拡げられた場合、排出される離解古紙２の流量や大きさが増大する。調節機構２６は支持部１８に取り付けられていてもよい。この場合、支持部と共にローターが上下に移動することで、排出口部の大きさが調節される。
【００２０】
次に、本実施形態の作用を説明する。
【００２１】
図１において、供給する前に必要に応じて古紙１に水分を含ませ、古紙１を古紙供給口部１３からタブ１１に供給する。処理液供給口部２３から処理液を古紙１に供給して浸透させ、タブ１１内で古紙液を生成する。生成された古紙液を、回転するローター１５によって撹拌する。その際、制御部２５によってローター１５のトルクを計測し、信号を流量調節装置２４に出力する。すなわち、水分の濃度が高く、ローター１５に加わる負荷が大きい場合、処理液の供給量を減少させて水分の濃度を低下させる。一方、水分の濃度が低く、ローター１５に加わる負荷が小さい場合、処理液の供給量を増加させて水分の濃度を向上させる。このように処理液の流量をトルクに応じて調節し、古紙液の水分の濃度を約７０％に調節する。古紙液が排出される際の流路は、ローター１５が回転することで生じた遠心力により形成される。
【００２２】
撹拌し、繊維間摩擦によって離解した離解古紙２は、ローター１５が回転することで生じた遠心力によって排出口部１４に流動する。その際、調節機構２６によってタブ１１が上下に移動することで、側面部１２の下端とローター１５との間隔を変化させて排出口部１４の大きさを調節する。すなわち、排出される離解古紙２の流量や大きさは、排出口部１４を狭めた場合に減少し、拡げた場合に増大する。
【００２３】
離解古紙２は脱水されて熟成タワー（図示省略）に約５時間貯留されて繊維がさらに離解される。その後、各工程を経て古紙パルプが製造される。各工程については、公知であるため説明を省略する。
【００２４】
次に、本実施形態の効果を説明する。
【００２５】
本実施形態によれば、遠心離解装置１０は、制御部２５がローター１５のトルクを計測して流量調節装置２４に信号を出力することで、トルクに応じて処理液の供給量が調節され、古紙液の水分の濃度が約７０％に調節される。この構成により、古紙液を撹拌させるローター１５に加わる負荷が抑えられる。したがって、省エネルギー化を実現することができる。
【００２６】
本実施形態によれば、遠心離解装置１０は、排出口部１４が側面部１２の下端とローター１５との間に形成されると共にタブ１１の側方に開口され、ローター１５によって下方が閉塞されてタブ１１の底部が形成されている。この構成により、古紙液が排出される際の流路は、ローター１５が回転することで生じた遠心力により形成される。すなわち、古紙液は、ローター１５によって撹拌されて流動する方向と、遠心力によって排出口部１４に流動する方向とが一致する。古紙液の流路が一様な方向であるため、ローター１５に加わる負荷が抑えられる。したがって、省エネルギー化を実現することができる。
【００２７】
本実施形態によれば、遠心離解装置１０は、調節機構２６がタブ１１の外周に取り付けられ、調節機構２６によってタブ１１が上下に移動することで、側面部１２の下端とローター１５との間隔が変化して排出口部１４の大きさが調節される。この構成により、排出される古紙液の流量や大きさは、排出口部１４が狭められた場合に減少し、拡げられた場合に増大する。したがって、排出される離解古紙２の流量や大きさを調節することができる。
【００２８】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００２９】
１                  古紙
２                  離解古紙
１０                遠心離解装置
１１                タブ
１２                側面部
１３                古紙供給口部
１４                排出口部
１５                ローター
１６                突部
１７                離解歯
１８                支持部
１９                伝動装置
２０                駆動装置
２１                処理液供給部
２２                処理液供給路
２３                処理液供給口部
２４                流量調節装置
２５                制御部
２６                調節機構
【図１】
2015074840.tif 000003
【図２】
2015074840.tif 000004
【図３】
2015074840.tif 000005